(57)【要約】【課題】身体に着せやすく、かつ、通常のドレスの美しさに比べて遜色がない女性用の洋風の死装束を提供する。【解決手段】この死装束１は、身体の胸部から下を包む筒状の胴衣２と、身体の胸部から上を胴衣２に重ねて覆う上衣３と、を備えており、胴衣２は、背面部を形成する背面布地２２及び前面部を形成する前面布地２１を有してそれらが左右下部で縫合されおり、前面布地２１の上部が下方向にめくれるように左右上部に明きが形成された筒状の胴衣本体２０と、その明きの両側を留める留め紐２３、２３’、２４、２４’と、を有している。【選択図】図４
2010284342.tif 000002
【特許請求の範囲】
【請求項１】
身体の胸部から下を包む筒状の胴衣を備える死装束であって、
該胴衣は、背面部を形成する背面布地及び前面部を形成する前面布地を有してそれらが左右下部で縫合されおり、前面布地の上部が下方向にめくれるように左右上部に明きが形成された筒状の胴衣本体と、該明きの両側を留める留め紐と、を有していることを特徴とする死装束。
【請求項２】
請求項１に記載の死装束において、
前記背面布地は厚手であり、前記前面布地は背面布地よりも薄い布地により形成されていることを特徴とする死装束。
【請求項３】
請求項１又は２に記載の死装束において、
前記前面布地は、重なった外側布地と内側布地により形成されていることを特徴とする死装束。
【請求項４】
請求項３に記載の死装束において、
前面布地の上部の幅よりも長い一連の紐から成る留め紐を有し、
該留め紐は、前面布地の上部の側端から側端まで外側布地と内側布地を縫合した２つの縫い目の間に挿入され、中央部が外側布地と内側布地に固定され、周辺部が固定されていないことを特徴とする死装束。
【請求項５】
請求項１〜４のいずれか１項に記載の死装束において、
前記胴衣本体は、背面部の上部に中央を示す縦の線分が記されていることを特徴とする死装束。
【請求項６】
請求項１〜５のいずれか１項に記載の死装束において、
前記胴衣は、身体の胸部を左右から覆うように背面部の上部の両側端から左右に伸びる胸部帯状布地を有していることを特徴とする死装束。
【請求項７】
請求項６に記載の死装束において、
前記胸部帯状布地は、先端が徐々に細くなっていることを特徴とする死装束。
【請求項８】
請求項６又は７に記載の死装束において、
前記背面部の上部の幅よりも長い１枚の布地が、胴衣本体に縫合されることによって胸部帯状布地を成していることを特徴とする死装束。
【請求項９】
請求項１〜８のいずれか１項に記載の死装束において、
前記胴衣は、身体の下腹部を左右から覆うように背面部の上部の両側端から左右に伸びる下腹部帯状布地を有していることを特徴とする死装束。
【請求項１０】
請求項９に記載の死装束において、
前記背面部の上部の幅よりも長い１枚の布地が、胴衣本体に縫合されることによって下腹部帯状布地を成していることを特徴とする死装束。
【請求項１１】
請求項１〜１０のいずれか１項に記載の死装束において、
身体の胸部から上を前記胴衣に重ねて覆う上衣を更に備えてなることを特徴とする死装束。
【請求項１２】
請求項１１に記載の死装束において、
前記上衣の上衣本体は、前面から身体を覆うように平面体状であることを特徴とする死装束。
【請求項１３】
請求項１１又は１２に記載の死装束において、
前記上衣は、身体の各手首に巻いて結ばれるように上衣本体の左右の端部近傍に手首固定紐を有していることを特徴とする死装束。
【請求項１４】
請求項１１〜１３のいずれか１項に記載の死装束において、
前記上衣は、身体の首部に巻いてから結ばれるように上衣本体の上端部から左右に伸びる飾り紐を有していることを特徴とする死装束。
【発明の詳細な説明】
【技術分野】
【０００１】
本発明は、葬儀の際にご遺体に着せる死装束に関し、特に、女性用の洋風の死装束に関する。
【背景技術】
【０００２】
死装束一般について重要なことは、硬直状態の身体に着せやすいことである。例えば特許文献１に記載されている死装束は、縫い目を横方向にすることで、身体に着せるときに引っ張っても縫い目がほころび難いとしている。
【０００３】
従来より、死装束としては、伝統的な着物スタイルのものが用いられることが多いが、近年、洋風のものが提案されるようになった。例えば特許文献２に記載されているものは、ウェディングドレスの前側を模した女性用の死装束である。
【先行技術文献】
【特許文献】
【０００４】
【特許文献１】特開平１１−２１７７０６号公報
【特許文献２】特開２００２−１０２２９９号公報
【発明の概要】
【発明が解決しようとする課題】
【０００５】
しかしながら、女性用の洋風の死装束を、身体に着せやすく、かつ、通常のドレスの美しさに比べてさほど遜色がないようにすることは、容易ではない。例えば、女性用の洋風の死装束について、特許文献１のように縫い目の方向を限定したり形状を限定したりすることは自由な装飾ができないことにもなるし、それだけでは着せやすさについても十分とは言えない。また、特許文献２のように、身体の前側だけを覆うようにしたものは、別の死装束を予め着せておかなければならない。
【０００６】
本発明は係る事由に鑑みてなされたものであり、その目的は、身体に着せやすく、かつ、通常のドレスの美しさに比べて遜色がない女性用の洋風の死装束を提供することにある。
【課題を解決するための手段】
【０００７】
上記目的を達成するために、請求項１に記載の死装束は、身体の胸部から下を包む筒状の胴衣を備える死装束であって、該胴衣は、背面部を形成する背面布地及び前面部を形成する前面布地を有してそれらが左右下部で縫合されおり、前面布地の上部が下方向にめくれるように左右上部に明きが形成された筒状の胴衣本体と、該明きの両側を留める留め紐と、を有していることを特徴とする。
【０００８】
請求項２に記載の死装束は、請求項１に記載の死装束において、前記背面布地は厚手であり、前記前面布地は背面布地よりも薄い布地により形成されていることを特徴とする。
【０００９】
請求項３に記載の死装束は、請求項１又は２に記載の死装束において、前記前面布地は、重なった外側布地と内側布地により形成されていることを特徴とする。
【００１０】
請求項４に記載の死装束は、請求項３に記載の死装束において、前面布地の上部の幅よりも長い一連の紐から成る留め紐を有し、該留め紐は、前面布地の上部の側端から側端まで外側布地と内側布地を縫合した２つの縫い目の間に挿入され、中央部が外側布地と内側布地に固定され、周辺部が固定されていないことを特徴とする。
【００１１】
請求項５に記載の死装束は、請求項１〜４のいずれか１項に記載の死装束において、前記胴衣本体は、背面部の上部に中央を示す縦の線分が記されていることを特徴とする。
【００１２】
請求項６に記載の死装束は、請求項１〜５のいずれか１項に記載の死装束において、前記胴衣は、身体の胸部を左右から覆うように背面部の上部の両側端から左右に伸びる胸部帯状布地を有していることを特徴とする。
【００１３】
請求項７に記載の死装束は、請求項６に記載の死装束において、前記胸部帯状布地は、先端が徐々に細くなっていることを特徴とする。
【００１４】
請求項８に記載の死装束は、請求項６又は７に記載の死装束において、前記背面部の上部の幅よりも長い１枚の布地が、胴衣本体に縫合されることによって胸部帯状布地を成していることを特徴とする。
【００１５】
請求項９に記載の死装束は、請求項１〜８のいずれか１項に記載の死装束において、前記胴衣は、身体の下腹部を左右から覆うように背面部の上部の両側端から左右に伸びる下腹部帯状布地を有していることを特徴とする。
【００１６】
請求項１０に記載の死装束は、請求項９に記載の死装束において、前記背面部の上部の幅よりも長い１枚の布地が、胴衣本体に縫合されることによって下腹部帯状布地を成していることを特徴とする。
【００１７】
請求項１１に記載の死装束は、請求項１〜１０のいずれか１項に記載の死装束において、身体の胸部から上を前記胴衣に重ねて覆う上衣を更に備えてなることを特徴とする。
【００１８】
請求項１２に記載の死装束は、請求項１１に記載の死装束において、前記上衣の上衣本体は、前面から身体を覆うように平面体状であることを特徴とする。
【００１９】
請求項１３に記載の死装束は、請求項１１又は１２に記載の死装束において、前記上衣は、身体の各手首に巻いて結ばれるように上衣本体の左右の端部近傍に手首固定紐を有していることを特徴とする。
【００２０】
請求項１４に記載の死装束は、請求項１１〜１３のいずれか１項に記載の死装束において、前記上衣は、身体の首部に巻いてから結ばれるように上衣本体の上端部から左右に伸びる飾り紐を有していることを特徴とする。
【発明の効果】
【００２１】
本発明によれば、前面部の上部が下方向にめくれるようになっているために容易に胴衣を引き上げることができるので身体に着せやすく、また、通常のドレスの美しさに比べて遜色がない女性用の洋風の死装束とすることができる。
【図面の簡単な説明】
【００２２】
【図１】本発明の実施形態に係る死装束１を示す正面図である。
【図２】同上の死装束１を示す背面図である。
【図３】同上の死装束１を示す右側面図である。
【図４】同上の死装束１を展開した状態を示す正面図である。
【図５】同上の死装束１を展開した状態を示す背面図である。
【図６】同上の死装束１を身体に着せる途中状態を示す正面図である。
【図７】同上の死装束１を身体に着せる次の途中状態を示す正面図である。
【図８】同上の死装束１を身体に着せる次の途中状態を示す正面図である。
【図９】同上の死装束１を身体に着せる次の途中状態を示す正面図である。
【図１０】同上の死装束１を身体に着せる完了状態を示す正面図である。
【図１１】同上の死装束１の留め紐２３、２３’近傍を示す拡大右側面視断面図である。
【図１２】同上の死装束１の留め紐２３、２３’近傍を示す拡大正面図である。
【発明を実施するための形態】
【００２３】
以下、本発明を実施するための好ましい形態を図面を参照しながら説明する。本発明の実施形態に係る死装束１は、伝統的な着物スタイルのものではなく、女性用の洋風のものである。この死装束１は、図１〜５に示すように、身体の胸部から下を包む筒状の胴衣２と、身体の胸部から上を胴衣２に重ねて覆う上衣３と、を備えてなる。胴衣２は、前面部を形成する前面布地２１と背面部を形成する背面布地２２が縫合されて成る筒状の胴衣本体２０に、留め紐２３、２３’、留め紐２４、２４’、胸部帯状布地２５、下腹部帯状布地２６が取り付けられたものである。上衣３は、平面体状の上衣本体３０に、手首固定紐３１、３１、飾り紐３２が取り付けられたものである。なお、図４と図５においては、主要な縫い目を点線で示している。
【００２４】
この死装束１を身体に着せる使用方法を簡単に説明する。先ず、図４に示すように、胴衣２の前面布地２１の上部２１Ａを下方向にめくる。次に、胴衣本体２０の中に上方から身体の足を入れ、図６に示すように、胴衣２を引き上げる。そして、図７に示すように、胸部と下腹部をそれぞれ胸部帯状布地２５と下腹部帯状布地２６で覆う。それから、図８に示すように、前面布地２１の上部２１Ａのめくっていた部分を戻し、相対するようになった留め紐２３と留め紐２４、留め紐２３’と留め紐２４’を側部で結ぶ。次に、図９に示すように、身体の胸部から上に前面から上衣３を覆う。そして、図１０に示すように、手首固定紐３１、３１と飾り紐３２を用いて身体の両手首と首部に固定すると、完了する。
【００２５】
死装束１の各部分の構成及び機能の詳細を、以下説明する。
【００２６】
胴衣２の胴衣本体２０と留め紐２３、２３’及び留め紐２４、２４’、について説明する。胴衣本体２０は、上記のように前面布地２１と背面布地２２が縫合されて成っている。縫合されるのは、胴衣本体２０の左右下部の箇所２０ｂ、２０ｂであり（図２及び図３参照）、背面布地２２が正面（前面）側から見えないように、身体の真横か余裕を持って後ろ側にあるのが好ましい。なお、図１の正面図では背面布地２２は見えておらず、図２の背面図では、前面布地２１がゆったりと膨らんでいるため、前面布地２１の上部２１Ａ或いは下部２１Ｂが背面布地２２の両脇と上側に見えている。胴衣本体２０の左右上部において前面布地２１と背面布地２２が縫合されないことにより、胴衣本体２０の左右上部に縦方向（丈方向）の明き（すきま）２０ａ、２０ａが形成されている（図２及び図３参照）。それにより、前面布地２１の上部２１Ａが下方向にめくれるようになる（図４参照）。ここで、胴衣本体２０の下部、すなわち、前面布地２１の下部２１Ｂ及び背面布地２２の下部２２Ｂは、具体的には、下腹部帯状布地２６のすぐ下付近から胴衣本体２０の下端までの部分である。一方、胴衣本体２０の上部、すなわち、前面布地２１の上部２１Ａ及び背面布地２２の上部２２Ａは、具体的には、下腹部帯状布地２６のすぐ下付近から胴衣本体２０の上端までの部分である。
【００２７】
胴衣２は、胴衣本体２０の明き２０ａ、２０ａの両側を留める、言い換えれば、前面布地２１の上部２１Ａの両側端を背面布地２２の上部２２Ａの両側端に結合させるため、前面布地２１と背面布地２２にそれぞれ、上記のように、留め紐２３、２３’とそれに対応した位置に留め紐２４、２４’が縫合により取り付けられている。留め紐２３、２３’（及び留め紐２４、２４’）の数は、１つの明き２０ａにおいて、図のように上端と中間（身体のウェストの位置）の２個とするのが機能の点及び美観の点から好ましいが、１個又は３個以上でも構わない。また、留め紐２４、２４’又は留め紐２３、２３’を省略して、そのかわりに留め紐２３、２３’又は留め紐２４、２４’を結べるもの（例えば、輪状のもの）を設けることも可能である。
【００２８】
留め紐２３、２３’と留め紐２４、２４’の各々は、前面布地２１の上部２１Ａ又は背面布地２２の上部２２Ａの幅よりも長く、それらからはみ出た部分が他の紐と結ばれる一連の（１本の）紐から成っている（図４及び図５参照）。はみ出た部分だけを、前面布地２１の上部２１Ａ又は背面布地２２の上部２２Ａの両側端に縫合することも可能である。
【００２９】
背面布地２２は、持って胴衣２を引き上げることができるように厚手である。前面布地２１は、装飾を自由に施すことができるように背面布地２２よりも薄い布地により形成されているのが好ましい。前面布地２１には、例えば絹製などを、背面布地２２、留め紐２３、２３’、留め紐２４、２４’には、例えば綿製などを用いることができる。
【００３０】
この胴衣２の使用方法の詳細は、以下の通りである。筒状の胴衣２の中にその上方から身体の足を入れて、身体の胸部の下まで引き上げるとき、下腹部よりも下までは縫合された前面布地２１の下部２１Ｂと背面布地２２の下部２２Ｂが囲み込むようにする。前面布地２１の上部２１Ａは下方向にめくってエプロン状にしておいて、背面布地２２の上部２２Ａを持って引き上げ、重い部分である臀部から背中にかけてそれらの後ろに背面布地２２の上部２２Ａを敷き込む（図６参照）。このとき、前面布地２１の上部２１Ａがともに引き上げられないために、前面の摩擦がなくなり、また、背面布地２２の上部２２Ａが横方向にある程度変形できるので、背面布地２２の上部２２Ａは敷き込み易いものとなる。背面布地２２の上部２２Ａを敷き込んだ後は、前面布地２１の上部２１Ａを上方向に戻し、明き２０ａ、２０ａの両側を留める。このように、胴衣２は、着せ易いものになっている。
【００３１】
前面布地２１は、図１１に示すように、重なった外側布地２１１と内側布地２１２により形成されているのが好ましい。外側布地２１１と内側布地２１２は、正面視の輪郭形状が実質的に同じである。外側布地２１１は、シャーリングなどの装飾が施されるように内側布地２１２よりもゆったりとしている。このように２重にすると、薄くて半透明であっても内側布地２１２が下着がわりになり、透けて身体が見えることがないようにできる。
【００３２】
更に好ましくは、留め紐２３は、前面布地２１の上部２１Ａの側端から側端まで外側布地２１１と内側布地２１２を縫合する２つの縫い目２１ａ、２１ａの間に挿入される（図１１参照）。留め紐２３は、正面視の中央部が外側布地２１１と内側布地２１２に固定され、周辺部が固定されていない状態にしておく。図１２（及び図４）中の２つの縫い目２１ｂ、２１ｂは、縫い目２１ａ、２１ａの間にそれらとほぼ垂直に設けられたもので、２つの縫い目２１ｂ、２１ｂの間が留め紐２３の中央部、２つの縫い目２１ｂ、２１ｂの外方が留め紐２３の周辺部である。２つの縫い目２１ｂ、２１ｂの間の外側布地２１１には、シャーリングが形成されている。２つの縫い目２１ｂ、２１ｂのそれぞれの外方の外側布地２１１には、下記のように寄せることで図１２に示すようなシャーリングが形成される。このようにすると、留め紐２３の周辺部に対して外側布地２１１と内側布地２１２とを寄せたり緩めたりすることで、胴衣２を身体の太さに合わせることができる。留め紐２３’についても同様である。
【００３３】
背面布地２２の上部に、横方向の中央を示す縦の線分２２ａが記されているのが好ましい（図４及び図５参照）。そうすると、背面布地２２の上部２２Ａを身体の胸部まで引き上げるときに、上半身を片方ずつ斜めにしても、背面布地２２の横方向の中央を身体の中央に合わせて着せることができる。線分は、ペンなどの色づけで記すことも可能であるが、布地の両面の中央を容易に視認することができるので糸を縫い付けて記すのが好ましい。
【００３４】
胴衣２の胸部帯状布地２５と下腹部帯状布地２６について説明する。胸部帯状布地２５と下腹部帯状布地２６はそれぞれ、背面布地２２の上部２２Ａに、留め紐２４、２４’と並んで縫合により取り付けられている。胸部帯状布地２５は、身体の胸部を左右から覆うように、一般的な女性の胸部よりも広い幅で背面布地２２の上部の両側端から左右に伸びている。胸部帯状布地２６は、身体の胸部を横から寄せて形を整えながら左右から覆い、中央で結ばれるものである。結び易くするためには、胸部帯状布地２５は、先端が徐々に細くなっているのが好ましい。また、身体の胸部を上下から包み易くするように、胸部帯状布地２５は、中央部を上下に寄せてタック２５ａを形成し背面布地２２の上部２２Ａに縫合されているのが好ましい。下腹部帯状布地２６は、身体の下腹部を左右から覆うように、背面布地２２の上部の両側端から左右に伸びている。下腹部帯状布地２６は、胸部帯状布地２５よりも若干広いか同程度の幅であり、身体の下腹部の上に左右から重ねて用いるものである。胸部帯状布地２５と下腹部帯状布地２６は、胴衣本体２０の明き２０ａ、２０ａの両側を留め紐２３、２３’と留め紐２４、２４’で留めた状態で、明き２０ａ、２０ａを通して胸部と下腹部が見えることのないように隠すことができる（図３参照）。
【００３５】
胸部帯状布地２５と下腹部帯状布地２６はそれぞれ、背面布地２２の上部の幅よりも長い１枚の布地から成っている。そうすると、納棺のときに、胸部帯状布地２５或いは下腹部帯状布地２６をつかんで持ち上げることで、身体を移動し易く、かつ、胴衣２が破れることがない。胸部帯状布地２５と下腹部帯状布地２６は、例えば綿製などを用いることができる。
【００３６】
上衣３について説明する。上衣３は、身体の胸部から上、すなわち、首筋や肩や腕を覆う。死装束１は、この上衣３を胴衣２とともに備えることで、通常のドレスの美しさに比べて遜色がないものとすることができる。胴衣２と上衣３を分離し、上衣３を胴衣２に重ねて覆うことで、身長の大小にかかわらず着せることが可能になる。つまり、身長に応じたサイズのものを別々に用意しなくてもよい。
【００３７】
上衣３の上衣本体３０は、上記のように平面体状になっている。つまり、袖の部分を腕を通すような筒状の形にしていない（図４参照）。好ましくは、図９に示すように、身体の背中の下に敷き入れず、前面から身体を覆うようにする。また、身体の各手首に巻いて結ばれるように上衣本体３０の左右の端部近傍に、上記の手首固定紐３１、３１が取り付けられている。指に引っ掛けるような小径の輪（図示せず）を先端に取り付けてもよい。また、身体の首部に巻いてから結ばれるように上衣本体３０の上端部（襟）から外方に伸びる上記の飾り紐３２が取り付けられている。飾り紐３２は、前面で結ばれることで、装飾にもなる。上衣本体３０と飾り紐３２は、例えば絹製などを、手首固定紐３１、３１は、例えば綿サテン製などを用いることができる。このような上衣本体３０、手首固定紐３１、３１、飾り紐３２により、上衣３は着せ易いものになっている。
【００３８】
以上のように、死装束１は、着せ易く、通常のドレスの美しさに比べて遜色がないものである。また、胴衣２と上衣３を金属類を用いずに構成しているので、火葬のときに余分なものが燃え残らないようにすることができる。また、胴衣２と上衣３にポリエステルのような化学繊維を用いることも可能であるが、上記の例のように、絹、綿などの天然繊維或いはレーヨンなどの再生繊維を用いると、火葬のときに有害ガスなどの発生の可能性を回避できるので、好ましい。
【００３９】
以上、本発明の実施形態に係る死装束１について説明したが、本発明は、上述の実施形態に記載したものに限られることなく、特許請求の範囲に記載した事項の範囲内でのさまざまな設計変更が可能である。例えば、身体の首筋や肩や腕がきれいな場合などでは、上衣３を省略することも可能である。また、着せ難くなるが、上衣３を身体の背中の下に敷き入れるようなものにすることも場合によっては可能である。また、コスト低減などのために、胸部帯状布地２５、下腹部帯状布地２６、手首固定紐３１、３１、飾り紐３２などを省略することも場合によっては可能である。また、花の形の胸飾りなど様々な装飾を付加したり、胴衣２や上衣３の全部或いは一部を適宜着色したり刺繍したりするのが可能なことは勿論である。また、素材も上記に限定されるものではない。また、使用方法も上記に限定されるものではない。
【符号の説明】
【００４０】
１      死装束
２      胴衣
２０    胴衣本体
２０ａ  胴衣本体の明き
２１    前面布地
２１Ａ  前面布地の上部
２１Ｂ  前面布地の下部
２１１  外側布地
２１２  内側布地
２２    背面布地
２２ａ  背面布地の上部の縦の線分
２３、２３’  前面布地の留め紐
２４、２４’  背面布地の留め紐
２５    胸部帯状布地
２６    下腹部帯状布地
３      上衣
３０    上衣本体
３１    手首固定紐
３２    飾り紐
【図１】
2010284342.tif 000003
【図２】
2010284342.tif 000004
【図３】
2010284342.tif 000005
【図４】
2010284342.tif 000006
【図５】
2010284342.tif 000007
【図６】
2010284342.tif 000008
【図７】
2010284342.tif 000009
【図８】
2010284342.tif 000010
【図９】
2010284342.tif 000011
【図１０】
2010284342.tif 000012
【図１１】
2010284342.tif 000013
【図１２】
2010284342.tif 000014